(57)【要約】      （修正有）【課題】宣伝広告を表示した政治活動用の広報物ケースであって、議員などが政治活動する場合に、頒布する広報物を収容することを目的とする。【解決手段】この考案は、基板の表面に広報用の印刷物などを収容するポケットを設け、前記基板の表面上部に議員などの写真を表示すると共に、前記ポケットの前面へ議員の氏名、その他の文字を表示したことを特徴とする政治活動用の広報物ケースにより、目的を達成した。【選択図】図１
0003115736.tif 000002
【実用新案登録請求の範囲】
【請求項１】
基板の表面に広報用の印刷物などを収容するポケットを設け、前記基板の表面上部に議員などの写真を表示すると共に、前記ポケットの前面へ議員の氏名、その他の文字を表示したことを特徴とする政治活動用の広報物ケース。
【請求項２】
基板の表面に広報用の印刷物などを収容するポケットを設け、前記基板の表面上部に議員などの写真を表示し、ポケットの前面に氏名、モットーその他、他の者に知らせるべき文字、図形を表示し、前記基板の上部を、前記写真の外縁に沿った形状としたことを特徴とする政治活動用の広報物ケース。
【請求項３】
基板の表面に広報用の印刷物などを収容する複数のポケットを設けると共に、基板又はポケットの表面へ、議員などの写真又はモットーその他の文字、図形を記載したことを特徴とする政治活動用の広報物ケース。
【請求項４】
基板及びポケットの表面並びに基板の裏面に議員などの写真又はモットーその他の文字、図形を表示したことを特徴とする政治活動用の広報物ケース。
【考案の詳細な説明】
【技術分野】
【０００１】
この考案は、宣伝広告を表示した政治活動用の広報物ケースであって、議員などが政治活動する場合に、頒布する広報物を収容することを目的とした政治活動用の広報物ケースに関するものである。
【背景技術】
【０００２】
従来選挙運動用には、候補者の写真のポスターが多用されており、常々の政治活動としては、パンフレット、後援会員への通信、報告書などが頒布されている。
【０００３】
また日常必要な広報物などを入れる為に、卓上型又は壁掛型のケースが用いられる場合もあるが、政治活動関連としてはこの種ケースは使用されていない。
【特許文献１】実公平３−２２７７０
【特許文献２】実開昭６０−１１３２４４
【特許文献３】実開平５−８０９０７
【特許文献４】特開２０００−２０００７７
【考案の開示】
【考案が解決しようとする課題】
【０００４】
従来基板（背板）にポケットを付属させたパンフレットケースが知られているが、一般的容れ物の範疇にあって、前記ケース自体を広告に使用する場合は少ない。
【０００５】
一方政治活動については、多数の広報物（パンフレット、その他の印刷物）が配布されるが、その多くは袋に入れられ、又は紙面として配布されるので、一度見るとそのまま捨てられることが多い。特に政治活動関連広報類は、時々見て貰いたいにも拘らず、見る時間は最も短くなる傾向がある。
【０００６】
また前記広報類の集積に便利なケースの提案もない問題点があった。然して人の習性として、関心を向け得る物（写真）と、広報類が同所にあった場合には、興味を生じ易い事実も知られている。
【課題を解決するための手段】
【０００７】
この考案は、基板の表面下部にパンフレットなどを収納するポケットを設けると共に、表面上部に議員の写真を配することによって関心を得ることができると共に、当該議員関係の広報物をポケットに入れることにより、広報類のまとめと、整理及び手軽に見易くなり、かつ見る度に議員の写真も見るので一層親しみを受けることができるようにして前記従来の問題点を解決したのである。
【０００８】
即ちこの考案は、基板の表面に広報用の印刷物などを収容するポケットを設け、前記基板の表面上部に議員などの写真を表示すると共に、前記ポケットの前面へ議員の氏名、その他の文字を表示したことを特徴とする政治活動用の広報物ケースであり、基板の表面に広報用の印刷物などを収容するポケットを設け、前記基板の表面上部に議員などの写真を表示し、ポケットの前面に氏名、モットーその他、他の者に知らせるべき文字、図形を表示し、前記基板の上部を、前記写真の外縁に沿った形状としたことを特徴とする政治活動用の広報物ケースである。また他の考案は、基板の表面に広報用の印刷物などを収容する複数のポケットを設けると共に、基板又はポケットの表面へ、議員などの写真又はモットーその他の文字、図形を記載したことを特徴とする政治活動用の広報物ケースであり、基板及びポケットの表面並びに基板の裏面に議員などの写真又はモットーその他の文字、図形を表示したことを特徴とする政治活動用の広報物ケースである。
【０００９】
この考案の基板に表示する写真の態様については、特定の定めはないが、親しみ易く、覚え易いように工夫した方がよい。写真の位置については、特に決まりはないが見易い場所が好ましい。
【００１０】
次にポケットの前面などは、議員のモットー、後援会関係の連絡先、その他必要な事項を記載する。
【００１１】
この考案の広報物ケースは、議員と密接に関連して使用することが好ましい。従って、後援会会員の各人毎に所有し、議員からの広報類を整理して保存し、時々見るような雰囲気のケースが好ましい。その為には、形状はもとより、印刷文字、意匠、色彩なども考慮し、室内インテリアとも関連できれば更によい。
【００１２】
広報用の印刷物などは、例えば議員の報告書、議会の経過報告、議事、議員活動の具体的事例、協力要請、後援会の入会手続、法案の概要、今後の動向その他のパンフレットなどをいう。前記は主たる収容物を記載したもので、一般に家庭で見る広告、宣伝を入れてもよいことは勿論である。
【００１３】
この考案の広報物ケースは主として議員など（例えば、国会議員、地方公共団体議員、地方首長その他政治活動する者）の政治活動の一助に用いる物であって、その形態（外形）には限定されないし、使用方法、セット状態も限定されない。
【考案の効果】
【００１４】
この考案の広報物ケースは、卓上などに自立設置し、前後左右から見得るようにしたり、壁などに掛けてインテリアの一種に見得るようにすることができる効果がある。
【００１５】
また議員などの特定人の広報物を収容しておくことにより、当該議員の広報をまとめておくことができると共に、よく整理できて、長く保存し得る効果がある。
【００１６】
次に議員などの写真によって、恰も議員などが極く親しい関係に見えたり、広報物を再度見ることによって、支援を更に深めることもできる。更に後援会との連絡先など又は議員などの事務所の住所電話などが記載されていれば、連絡ができるなどの利点もある。
【考案を実施するための最良の形態】
【００１７】
任意形状（矩形、正方形、楕円形、円形、ハート形その他）の基板の表面に、広報用印刷物などを収容するポケットを設け、前記基板の表面上部に議員などの写真（例えば上半身）を表示し、前記基板の余白及びポケットの前面に、前記写真に対応する氏名、モットーその他、後援会会員などに知らせるべき文字、イラストなどを記載する。
【００１８】
前記基板の裏面にも、前記後援会へのお知らせに有効な記載（例えば後援会名、住所、電話番号、メールアドレスなど）を施す。この考案の広報物ケースは、卓上に設置し、又は壁掛け状にして使用することができるように載置部の安定性、掛止め用の孔が設けてあり、不使用時には孔にならないように、切込みのみとすることもある。
【００１９】
前記写真については、選挙用のポスターのように、親しみ易く、かつ上半身とか、映像に留意する。また色彩についても、暖色（黄系色）、寒色（青系色）を混用し、親しみを増す雰囲気とする。
【実施例１】
【００２０】
この考案の実施例を図１、２について説明すると、紙製又は合成樹脂製の基板１の表面上部に上半身の写真２を印刷し、前記基板１の上部外形は、前記写真２の頭部外形にほぼ相似形に形成する。
【００２１】
前記基板１の前面で、前記写真２より下には、上部を開口した、直方体状のポケット３を設け、ポケット３の前面に、モットー４、議員名５、党名６その他を記載し、この考案の広報物ケース１０を構成する。図中７はポケット３に入れた広報用の印刷物、８は穿孔用のミシン目である。
【００２２】
前記基板１の裏面は、無地又は表面と同一記載でもよいが、例えば写真２、入会申し込み案内９、後援会名１１、電話番号及びメールアドレス１２などを記載することもできる。
【００２３】
前記広報物ケース１０は、卓上へ載置し、又は壁などへ吊り下げて使用するが、議員などの写真があるので、見る度に後援会員であることを自覚すると共に、広報物をすぐ捨てることはなく、このケースに入れておけば、再見頻度を増加する利点がある。
【００２４】
また後援会入会の勧誘用の頒布物としてこのケースを使用するような場合には、写真を片隅に表示することもある。
【実施例２】
【００２５】
この考案の他の実施例を図３について説明すると、基板１の表面上部に写真２を表示すると共に、基板１の前面で前記写真２を表示すると共に、基板１の前面で前記写真２の下部に、上部を開口した直方体状のポケット３、３ａを上下二段に設け、該ポケット３、３ａの前面へモットー４、議員名５、後援会名１１、党名６、側面へ電話番号１２などを記載して、この考案の広報物ケース１０を構成した。
【００２６】
前記基板１の裏面は無地又は後援会入会案内などを記載する。
【００２７】
前記実施例２は、実施例１とポケット３、３ａ（２つ）設けたこと、基板の上部形状を台形状にした点を異にするが、用途及び使用方法は同一に付説明を省略した。
【図面の簡単な説明】
【００２８】
【図１】この考案の実施例の表面側からの斜視図。
【図２】同じく裏面側からの斜視図。
【図３】同じく他の実施例の表面側からの斜視図。
【符号の説明】
【００２９】
１  基板
２  写真
３、３ａ  ポケット
４  モットー
５  議員名
６  党名
７  パンフレット
【図１】
0003115736.tif 000003
【図２】
0003115736.tif 000004
【図３】
0003115736.tif 000005
【手続補正書】
【提出日】平成17年8月12日(2005.8.12)
【手続補正１】
【補正対象書類名】実用新案登録請求の範囲
【補正対象項目名】全文
【補正方法】変更
【補正の内容】
【実用新案登録請求の範囲】
【請求項１】
基板の表面に広報用の印刷物などを収容するポケットを設け、前記基板の表面上部に議員などの写真を表示すると共に、前記ポケットの前面へ議員の氏名、その他の文字を表示したことを特徴とする政治活動用の広報物ケース。
【請求項２】
基板の表面に広報用の印刷物などを収容するポケットを設け、前記基板の表面上部に議員などの写真を表示し、ポケットの前面に氏名、モットーその他、他の者に知らせるべき文字、図形を表示し、前記基板の上部を、前記写真の外縁に沿った形状としたことを特徴とする政治活動用の広報物ケース。
【請求項３】
基板の表面に広報用の印刷物などを収容する複数のポケットを設けると共に、基板又はポケットの表面へ、議員などの写真又はモットーその他の文字、図形を記載したことを特徴とする政治活動用の広報物ケース。
【請求項４】
基板の表面に広報用の印刷物などを収容するポケットを設けると共に、基板又はポケットの表面並びに基板の裏面に議員などの写真又はモットーその他の文字、図形を表示したことを特徴とする政治活動用の広報物ケース。
【手続補正２】
【補正対象書類名】明細書
【補正対象項目名】０００８
【補正方法】変更
【補正の内容】
【０００８】
即ちこの考案は、基板の表面に広報用の印刷物などを収容するポケットを設け、前記基板の表面上部に議員などの写真を表示すると共に、前記ポケットの前面へ議員の氏名、その他の文字を表示したことを特徴とする政治活動用の広報物ケースであり、基板の表面に広報用の印刷物などを収容するポケットを設け、前記基板の表面上部に議員などの写真を表示し、ポケットの前面に氏名、モットーその他、他の者に知らせるべき文字、図形を表示し、前記基板の上部を、前記写真の外縁に沿った形状としたことを特徴とする政治活動用の広報物ケースである。また他の考案は、基板の表面に広報用の印刷物などを収容する複数のポケットを設けると共に、基板又はポケットの表面へ、議員などの写真又はモットーその他の文字、図形を記載したことを特徴とする政治活動用の広報物ケースであり、基板の表面に広報用の印刷物などを収容するポケットを設けると共に、基板又はポケットの表面並びに基板の裏面に議員などの写真又はモットーその他の文字、図形を表示したことを特徴とする政治活動用の広報物ケースである。